(57)【要約】本発明の目的は、早期に花芽が付き、着果し、収穫することを可能とする樹木栽培容器及び樹木栽培方法を提供する。本発明は、多孔性材料からなる樹木栽培容器であって、前記多孔性材料は、以下の条件Ａ及び／又は条件Ｂを満たす樹木栽培容器である。条件Ａ：任意の１０点で測定した通気性値（ｍＬ／ｃｍ２／ｓ）の標準偏差が３０以下、かつ、変動係数が１５以下条件Ｂ：任意の１０点で測定した貫通抵抗値（Ｎ）の標準偏差が５以下、かつ、変動係数が１５以下【特許請求の範囲】
【請求項１】
多孔性材料からなる樹木栽培容器であって、
前記多孔性材料は、以下の条件Ａ及び／又は条件Ｂを満たす
ことを特徴とする樹木栽培容器。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
【請求項２】
多孔性材料は、プレス加工されたものであることを特徴とする請求の範囲第１項記載の樹木栽培容器。
【請求項３】
側壁と底部とからなる樹木栽培容器であって、
前記側壁は、通気性値が１２０〜２００ｍＬ／ｃｍ２／ｓ、貫通抵抗値が２０〜４０Ｎの多孔性材料からなり、
前記底部は、通気性値が３０〜８０ｍＬ／ｃｍ２／ｓ、貫通抵抗値が１０〜２０Ｎの多孔性材料からなる
ことを特徴とする請求の範囲第１又は２項記載の樹木栽培容器。
【請求項４】
側壁と底部とからなる樹木栽培容器であって、前記側壁の最下部から５〜４０％の高さまでは通気性値が１２０〜２００ｍＬ／ｃｍ２／ｓ、貫通抵抗値が２０〜４０Ｎの多孔性材料からなり、
残余の側壁上部及び前記底部は通気性値が３０〜８０ｍＬ／ｃｍ２／ｓ、貫通抵抗値が１０〜２０Ｎの多孔性材料からなる
ことを特徴とする請求の範囲第１又は２項記載の樹木栽培容器。
【請求項５】
側壁と底部とからなる樹木栽培容器であって、
前記側壁は通気性値が３０〜８０ｍＬ／ｃｍ２／ｓ、貫通抵抗値が１０〜２０Ｎの多孔性材料からなり、
前記底部は通気性値が１２０〜２００ｍＬ／ｃｍ２／ｓ、貫通抵抗値が２０〜４０Ｎの多孔性材料からなる
ことを特徴とする請求の範囲第１又は２項記載の樹木栽培容器。
【請求項６】
通気性値が１２０〜２００ｍＬ／ｃｍ２／ｓ、貫通抵抗値が２０〜４０Ｎの多孔性材料は、片面のみが閉塞処理されており、かつ、閉塞処理された高密度側の面から閉塞処理されていない低密度側の面へ厚さ方向に密度差を有するものであって、
樹木栽培容器の外側は前記閉塞処理された高密度側の面からなり、樹木栽培容器の内側は前記閉塞処理されていない低密度側の面からなる
ことを特徴とする請求の範囲第３、４又は５項記載の樹木栽培容器。
【請求項７】
閉塞処理は、熱処理、樹脂加工又はラミネート加工によりなされたものであることを特徴とする請求の範囲第６項記載の樹木栽培容器。
【請求項８】
多孔性材料は、太さ４デニール以下の糸からなる不織布であることを特徴とする請求の範囲第６又は７項記載の樹木栽培容器。
【請求項９】
側壁と底部とからなる樹木栽培容器であって、
通気性値が３０〜８０ｍＬ／ｃｍ２／ｓ、貫通抵抗値が１０〜２０Ｎの多孔性材料からなる
ことを特徴とする請求の範囲第１又は２項記載の樹木栽培容器。
【請求項１０】
側壁と底部とからなる樹木栽培容器であって、
通気性値が３０〜８０ｍＬ／ｃｍ２／ｓ、貫通抵抗値が１０〜２０Ｎの多孔性材料に孔径１００〜３００μｍの微細孔が開けられているものからなる
ことを特徴とする請求の範囲第１又は２項記載の樹木栽培容器。
【請求項１１】
多孔性材料からなる樹木栽培容器を用いる樹木の栽培方法であって、
前記多孔性材料は、以下の条件Ａ及び／又は条件Ｂを満たす
ことを特徴とする樹木の栽培方法。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
【発明の詳細な説明】
技術分野
本発明は、早期に花芽が付き、着果し、収穫することを可能とする樹木栽培容器及び樹木栽培方法に関する。
技術背景
果樹栽培においては、接ぎ木して１シーズン経過した１年生苗を直接圃場に定植して、数年間かけて栽培を行うのが一般的である。
このため、成園化するのに数年を要するため、この間収益が上がらず、改植が進まないことが課題となっている。そこで、近年、この未収益期間を短縮し、新品種導入、改植を促進する大苗育苗による早期成園化法が提案されている。
しかしながら、大きく生長した苗を移植する際、根巻き作業が必要となり、多大な労力と熟練技術とが不可欠であることに加えて、大きく生長した根を断根せざるを得ないことから、活着率が著しく低下してしまい、また、活着しても樹体へのダメージが大きいため、移植後花芽が付き、着果し、収穫できるようになるまで長期間を要していた。
また、近年、ポリオレフィン、ポリエステル、ポリアミド等の合成樹脂シートや合成繊維不織布を熱処理した素材による埋入型のコンテナバッグ等の樹木栽培容器が提案されている。これらの樹木栽培容器を用いた場合、上述した根巻き等の作業が簡素化し、しかも樹木栽培容器からは大きな根はほとんど突出せず、移植の際に樹木の根を切断することが少なくなるといった効果を奏する。しかしながら、かかる樹木栽培容器は多くの場合、建築土木資材用として設計、構成されているので、細根の発生促進に重要な水分や養分が樹木栽培容器内に充分透過せず、樹木栽培容器内の細根の発生量が抑制されたり、樹木栽培容器内で根が相互に絡みつくルーピングといわれる現象が発生したりして、移植後の活着率が著しく低下してしまい、その結果、移植後花芽が付き、着果し、収穫できるようになるまで長期間を要していた。
これに対して、樹木栽培容器を見かけ密度の小さい粗い構造を有する合成樹脂シートや合成繊維不織布を利用した素材で構成した場合、細根の発生促進に重要な水分や養分が容器内に充分透過する機能は有するが、逆に容器外部への根の生長をほとんど抑制できなくなり、移植の際の根巻き作業等の簡素化というメリットを損なうばかりか、細根が切断されやすいため移植後の活着率に重大な影響を及ぼすという問題があった。
発明の要約
本発明は、上記現状に鑑み、早期に花芽が付き、着果し、収穫することを可能とする樹木栽培容器及び樹木栽培方法を提供することを目的とするものである。
本発明は、多孔性材料からなる樹木栽培容器であって、前記多孔性材料は、以下の条件Ａ及び／又は条件Ｂを満たす樹木栽培容器である。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
上記多孔性材料に上記特定の通気性値及び貫通抵抗値を付与する方法としては、プレス加工が好ましい。
本発明の樹木栽培容器の第１の実施態様は、側壁と底部とからなるものであって、前記側壁は、通気性値が１２０〜２００ｍＬ／ｃｍ２／ｓ、貫通抵抗値が２０〜４０Ｎの多孔性材料からなり、前記底部は、通気性値が３０〜８０ｍＬ／ｃｍ２／ｓ、貫通抵抗値が１０〜２０Ｎの多孔性材料からなるものである。
本発明の樹木栽培容器の第２の実施態様は、側壁と底部とからなるものであって、前記側壁の最下部から５〜４０％の高さまでは通気性値が１２０〜２００ｍＬ／ｃｍ２／ｓ、貫通抵抗値が２０〜４０Ｎの多孔性材料からなり、残余の側壁上部及び前記底部は通気性値が３０〜８０ｍＬ／ｃｍ２／ｓ、貫通抵抗値が１０〜２０Ｎの多孔性材料からなるものである。
本発明の樹木栽培容器の第３の実施態様は、側壁と底部とからなるものであって、前記側壁は通気性値が３０〜８０ｍＬ／ｃｍ２／ｓ、貫通抵抗値が１０〜２０Ｎの多孔性材料からなり、前記底部は通気性値が１２０〜２００ｍＬ／ｃｍ２／ｓ、貫通抵抗値が２０〜４０Ｎの多孔性材料からなるものである。
上記通気性値が１２０〜２００ｍＬ／ｃｍ２／ｓ、貫通抵抗値が２０〜４０Ｎの多孔性材料は、片面のみが閉塞処理されており、かつ、閉塞処理された高密度側の面から閉塞処理されていない低密度側の面へ厚さ方向に見かけ上密度差を有するものであることが好ましく、本発明の樹木栽培容器の外側は前記閉塞処理された高密度側の面からなり、内側は前記閉塞処理されていない低密度側の面からなることが好ましい。上記閉塞処理は、熱処理、樹脂加工又はラミネート加工によりなされたものであることが好ましい。また、かかる多孔性材料は、太さ４デニール以下の糸からなる不織布であることが好ましい。
本発明の樹木栽培容器の第４の実施態様は、側壁と底部とからなるものであって、通気性値が３０〜８０ｍＬ／ｃｍ２／ｓ、貫通抵抗値が１０〜２０Ｎの多孔性材料からなるものである。
本発明の樹木栽培容器の第５の実施態様は、側壁と底部とからなるものであって、通気性値が３０〜８０ｍＬ／ｃｍ２／ｓ、貫通抵抗値が１０〜２０Ｎの多孔性材料に孔径１００〜３００μｍの微細孔が開けられているものからなるものである。
多孔性材料からなる樹木栽培容器を用いる樹木の栽培方法であって、前記多孔性材料は、以下の条件Ａ及び／又は条件Ｂを満たす樹木の栽培方法もまた、本発明の１つである。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
発明の詳細な説明
以下に本発明を詳述する。
本発明の樹木栽培容器は、以下の条件Ａ及び／又は条件Ｂを満たす多孔性材料からなる。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
上記通気性値は、ＪＩＳ  Ｌ−１０９６法のフラジール型通気度試験機にて測定した値である。
上記貫通抵抗値は、以下の手順により測定した値をいう。
（ａ）ＪＩＳ  Ｌ−１０９６法に記載される破裂強度測定法に基づき被測定素材を強度測定器に装着固定する。
（ｂ）これの垂直方向よりＪＩＳ  Ｂ−０６１０法記載の表面粗さが０．８μｍ以下に加工された角度２０±１０度の円錐形治具を移動させ、５〜２０ｍｍ／分の一定速度でその先端から一定の位置まで被測定素材を貫通させる。
（ｃ）その際円錐形治具が受ける最大負荷（Ｎ）を測定し、これを貫通抵抗値とする。
樹木の移植においては、樹木栽培容器の素材に対する根の貫通しやすさと貫通した後の根の締め付け具合を制御する事が重要である。上記通気性値は、根の貫通しやすさに、上記貫通抵抗値は、貫通した後の根の締め付け具合に深く関係する。
即ち、樹木の根が樹木栽培容器の素材を貫通して樹木栽培容器外へ生長するには、素材に充分な間隙が必要であり、通気性値が１２０〜２００ｍＬ／ｃｍ２／ｓであると、根の生長に必要な水分・養分などの移動が行われ、根は素材を貫通して細根が容器外へ生長することができ、３０〜８０ｍＬ／ｃｍ２／ｓであると、根は容器を貫通できず容器内に根域を制限することができる。
一方、貫通した根が太く生長するか否かについては、貫通した後の根の締め付け具合によって決まり、素材の貫通抵抗値が２０Ｎ未満であると素材による締めつけが緩く根は太く生長し、２０〜４０Ｎであると、根は素材に締めつけられて太く生長することができない。
このように通気性値と貫通抵抗値とを制御することにより、根域を制限し、樹木栽培容器内でのカルス・細根の発達を促して、移植後の活着性が向上させるとともに、早期に花芽が付き、着果し、収穫できるようにすることができる。
しかしながら、上記の通気性値及び貫通抵抗値を制御しても、ひとつの素材中でこれらの値に一定以上のバラツキがあると移植後の活着性を向上させ、早期に花芽が付き、着果し、収穫できるようにすることはできない。
樹木を樹木栽培容器で栽培する場合、樹木栽培容器の通気性値及び貫通抵抗値にバラツキがあって、通気性値が高く貫通抵抗値が低い箇所があると、樹木はその部分を集中的に攻撃して根を伸ばそうとする。樹木栽培容器を貫通した細根が、一本でも小根から中根、大根に生長すると、養分吸収の主体がその生長した根に移るため、樹木栽培容器内のカルス形成、細根の発生、生長は著しく抑制され、移植後の活着率が低下するばかりでなく、結果的に花芽が付き、着果し、収穫できるようになるまで長期間を要することになる。
本発明の樹木栽培容器は、以下の条件Ａ及び／又は条件Ｂを満たす多孔性材料からなる。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
この条件を満たす多孔性材料を用いることにより、本発明の樹木栽培容器は、根の貫通しやすさと貫通した後の根の締め付け具合を制御することができる。
上記多孔性材料に上述の特定の通気性値及び貫通抵抗値を付与する方法としては、例えば、プレス加工が好適に用いられる。プレス加工されることにより、多孔性材料は均質化され、上記通気性値及び貫通抵抗値の標準偏差、変動係数を満たすことができる。
上記プレス加工の方法としては特に限定されず、一般に用いられる方法を用いることができる。上記プレス加工の条件としては、１〜３ＭＰａの圧力でプレスすることが好ましく、対象となる素材・構造により決定する。即ち、ヤング率の大きい硬い素材・構造では高い圧力で、ヤング率の小さい軟らかい素材・構造では低い圧力でプレスを行う。
上記多孔性材料としては、無数の孔が存在して水分や養分を容易に透過することができ、しかも長期間土中に埋設してもほとんど劣化せず実用強度を維持し、かかる機能を安定して発揮できるものが好ましく、例えば、合成繊維不織布又は編織布等を挙げることができる。上記合成繊維不織布又は編織布としては、例えば、ポリオレフィン系繊維、ポリエステル系繊維、ポリアミド系繊維等をスパンボンド方式による連続長繊維不織布としたもの等を挙げることができる。
なお、これらの多孔性材料は、樹木栽培容器として使用される間上記機能を安定して発揮できるものであれば、使用後の環境に与える影響等を考慮して、土中において生分解又は崩壊する繊維を利用したものであってもよい。また、必要に応じて土中における分解速度を調整する目的において、例えば、セルロース系繊維、蛋白系繊維等を任意の割合で組み合わせることもできる。
本発明の樹木栽培容器の形状は、側壁と底部とからなるものであれば特に限定されないが、円筒形又は円錐形であることが好ましい。上記円錐形としては特に限定されないが、４５°±５°程度の角度を有する円錐形であると、横転させて運搬する際の安定性が良く好ましい。
本発明の樹木栽培容器は、所望の大きさに裁断した多孔性材料を接着又は縫製等任意の手段によって得ることができる。
本発明の樹木栽培容器は、樹種や栽培方法に合わせて、以下のように通気性値及び貫通抵抗値の異なる上記多孔性材料を組み合わせた態様で用いることができる。
本発明の樹木栽培容器の第１の態様は、側壁と底部とからなるものであって、上記側壁は、通気性値が１２０〜２００ｍＬ／ｃｍ２／ｓ、貫通抵抗値が２０〜４０Ｎの多孔性材料からなり、上記底部は、通気性値が３０〜８０ｍＬ／ｃｍ２／ｓ、貫通抵抗値が１０〜２０Ｎの多孔性材料からなるもの（以下、タイプ１の樹木栽培容器ともいう）である。タイプ１の樹木栽培容器は、側壁からは細根が貫通することが可能であるが、底部からは細根の貫通はないという特徴を持つ。側壁から細根が貫通でき、養分を吸収できることから、タイプ１の樹木栽培容器で栽培された樹木は生長が促進され、樹高の調製された中〜大木になることができる。
タイプ１の樹木栽培容器の用途としては特に限定されないが、リンゴ、オウトウ、カキ、ナシ、モモ、ウメ等の落葉果樹類を地中埋設栽培法で栽培するのに好適に用いられる。
本発明の樹木栽培容器の第２の態様は、側壁と底部とからなるものであって、上記側壁の最下部から５〜４０％の高さまでは通気性値が１２０〜２００ｍＬ／ｃｍ２／ｓ、貫通抵抗値が２０〜４０Ｎの多孔性材料からなり、残余の側壁上部及び上記底部は通気性値が３０〜８０ｍＬ／ｃｍ２／ｓ、貫通抵抗値が１０〜２０Ｎの多孔性材料からなるもの（以下、タイプ２の樹木栽培容器ともいう）である。タイプ２の樹木栽培容器は、側壁の最下部から５〜４０％の高さまでは細根が貫通できるが、残余の側壁上部及び底部からは細根の貫通はないという特徴を持つ。タイプ１の樹木栽培容器の場合と同様に、タイプ２の樹木栽培容器で栽培された樹木は生長が促進され、樹高の調製された中〜大木になることができる。
タイプ２の樹木栽培容器の用途としては特に限定されないが、ブドウ等のツル性果樹や落葉果樹全般を半地中埋設栽培法で栽培するのに好適に用いられる。
本発明の樹木栽培容器の第３の態様は、側壁と底部とからなるものであって、上記側壁は通気性値が３０〜８０ｍＬ／ｃｍ２／ｓ、貫通抵抗値が１０〜２０Ｎの多孔性材料からなり、上記底部は通気性値が１２０〜２００ｍＬ／ｃｍ２／ｓ、貫通抵抗値が２０〜４０Ｎの多孔性材料からなるもの（以下、タイプ３の樹木栽培容器ともいう）である。タイプ３の樹木栽培容器は、底部は細根が貫通できるが、側壁からは細根の貫通はないという特徴を持つ。
タイプ３の樹木栽培容器の用途としては特に限定されないが、ハウスでのブドウやカキ等の深根・粗根性の果樹を地上設置栽培法で栽培するのに好適に用いられる。
上記通気性値が１２０〜２００ｍＬ／ｃｍ２／ｓ、貫通抵抗値が２０〜４０Ｎの多孔性材料は、片面のみが閉塞処理されており、かつ、閉塞処理された高密度側の面から閉塞処理されていない低密度側の面へ厚さ方向に密度差を有するものであることが好ましい。ここで、閉塞処理とは、多孔性材料中又は表面に無数に存在する空隙部を部分的に閉塞させることにより多孔性材料の密度を変化させる処理をいう。
かかる多孔性材料を用いて、樹木栽培容器の外側は前記閉塞処理された高密度側の面からなり、樹木栽培容器の内側は前記閉塞処理されていない低密度側の面からなるようにした樹木栽培容器で樹木を栽培すると、樹木の細根は樹木栽培容器の内側の低密度の面に容易に進入して樹木栽培容器を貫通することができる。しかし、更に生長して小根、中根、大根になろうとしても、樹木栽培容器の外側の高密度の面に締めつけられて生長することができない。このような適度なストレスを樹木に与えることにより、樹木栽培容器内ではカルス形成、細根の発生がよりいっそう促進される。更に、細根が内側の低密度の面に進入し、絡まることにより樹木栽培容器内でルーピング現象が起こるのを防ぐことができる。
上記閉塞処理は、熱処理、樹脂加工又はラミネート加工によりなされることが好ましい。上記熱処理としては、例えば、ヒートロール、エンボス加工、カレンダー加工等を挙げることができる。上記樹脂加工としては、例えば、アクリル酸エステル樹脂、メタアクリル酸エステル樹脂、エポキシ樹脂等を用いたパディング、グラビアコーティング、ナイフコーティング加工等を挙げることができる。上記ラミネート加工としては、例えば、ポリオレフィン、ポリエステル、ポリアミド等の合成樹脂シートにより加工することを挙げることができる。
また、このような多孔性材料は、４デニール以下の太さの糸からなる不織布であることが好ましい。４デニールを超える太さの糸を用いて上述のような効果を有する不織布を作製するには、ある程度以上の厚さにすることが必要となり実用的ではない。
本発明の樹木栽培容器の第４の態様は、側壁と底部とからなるものであって、通気性値が３０〜８０ｍＬ／ｃｍ２／ｓ、貫通抵抗値が１０〜２０Ｎの多孔性材料からなるもの（以下、タイプ４の樹木栽培容器ともいう）である。タイプ４の樹木栽培容器は、側壁及び底部のいずれからも細根が貫通できないという特徴を持つ。したがって、タイプ４の樹木栽培容器で栽培した樹木は、樹高の低い低木となる。また、樹木栽培容器からの細根の突出が全くないことから、移植時に容易に樹木栽培容器を抜き取ることが可能である。
タイプ４の樹木栽培容器の用途としては特に限定されないが、柑橘類を地上設置栽培法で栽培するのに好適に用いられる。
本発明の樹木栽培容器の第５の態様は、側壁と底部とからなるものであって、通気性値が３０〜８０ｍＬ／ｃｍ２／ｓ、貫通抵抗値が１０〜２０Ｎの多孔性材料に孔径１００〜３００μｍの微細孔が開けられているものからなるもの（以下、タイプ５の樹木栽培容器ともいう）である。タイプ５の樹木栽培容器は、側壁及び底部のいずれからも細根が貫通できず、したがって、タイプ５の樹木栽培容器で栽培した樹木はタイプ４の樹木栽培容器の場合と同様に樹高の低い低木となり、移植時に容易に樹木栽培容器を抜き取ることが可能であるが、微細孔によりタイプ４の樹木栽培容器よりも水分及び養分の透過性が高いという特徴を持つ。
上記微細孔は、例えば、レーザー、熱等による穿孔加工により設けることができる。また、上記微細孔は、樹木栽培容器全体に設けることも、一部に設けることもその目的、用途に応じ任意であるが、全体に均一に設けられていることが好ましい。
タイプ５の樹木栽培容器の用途としては特に限定されないが、果樹苗全般を地上設置栽培法で栽培するのに好適に用いられる。
本発明の樹木栽培容器を用いると、確実に根の貫通しやすさと貫通した後の根の締め付け具合を制御することができ、樹木栽培容器内でカルスや活性の高い細根が充分量発達して、移植後の活着性が向上するとともに、早期に花芽が付き、着果し、収穫できるようにすることができる。また、上述のように、樹種及び栽培方法に合わせて上記の各々の樹木栽培容器を選択して樹木の栽培を行うと更に効果が上がる。
多孔性材料からなる樹木栽培容器を用いる樹木の栽培方法であって、前記多孔性材料は、以下の条件Ａ及び／又は条件Ｂを満たす樹木の栽培方法もまた、本発明の１つである。
条件Ａ：任意の１０点で測定した通気性値（ｍＬ／ｃｍ２／ｓ）の標準偏差が３０以下、かつ、変動係数が１５以下
条件Ｂ：任意の１０点で測定した貫通抵抗値（Ｎ）の標準偏差が５以下、かつ、変動係数が１５以下
発明を実施するための最良の形態
以下に実施例を掲げて本発明を更に詳しく説明するが、本発明はこれら実施例のみに限定されるものではない。
（実施例１）
３デニールの太さのポリエステル繊維を用いてスパンボンドによって不織布を得た。この不織布の片面に２ＭＰａの圧力でプレスすることにより均質化した後、グラビアコーティングによる樹脂加工で閉塞処理を施し、通気性値１５９．９ｍＬ／ｃｍ２／ｓ、貫通抵抗値２４．９Ｎ、厚さ１．３ｍｍの厚さ方向に密度差を有する不織布Ａを得た。なお、この不織布の任意の１０点で測定した通気性値の標準偏差は１５．７、変動係数は９．８、貫通抵抗値の標準偏差は２．１６、変動係数は８．７であった。
一方、１．５デニールの太さのポリエステル繊維を用いてスポンボンドによって不織布を得た。この不織布を常法によりエンボス加工することにより、通気性値４４．９ｍＬ／ｃｍ２／ｓ、貫通抵抗値１５．２Ｎ、厚さ０．３ｍｍの不織布Ｂを得た。なお、この不織布の任意の１０点で測定した通気性値の標準偏差は１．８、変動係数は４．０、貫通抵抗値の標準偏差は１．６７、変動係数は１１．０であった。
不織布Ａの閉塞処理された高密度側の面を外側に、低密度側の面を内側となるよう配置して側壁とし、不織布Ｂを底部として裁断縫製して、直径２５ｃｍ高さ２５ｃｍ円筒形のタイプ１の樹木栽培容器を作製した。
得られたタイプ１の樹木栽培容器を用いて実際に樹木の栽培を行った。
樹種はリンゴ（品種：ジョナゴールド／台木：ＪＭ７）とし、２４株の苗をタイプ１の樹木栽培容器に入れ、地中埋設栽培法により３月中旬から約１年間栽培した。
その後、掘り出し、タイプ１の樹木栽培容器を外した樹木を園地に移植した。移植後更に１年間栽培した後、１樹当たりの根の乾燥重量、１樹当たりの枝数、１樹当たりの開花数等を評価した。結果は２４株の平均値として示した。
なお、対照として、樹木栽培容器なしで栽培したものについても同様の評価を行った。結果を表１に示した。
2003013222.tif 000002
（実施例２）
実施例１で用いたものと同様の不織布を用いて、直径３５ｃｍ高さ３３ｃｍの円筒形のタイプ１の樹木栽培容器を得た。
得られたタイプ１の樹木栽培容器を用いて実際に樹木の栽培を行った。
樹種はオウトウ（品種：佐藤錦／台木：アオバザクラ）とし、１５株の苗をタイプ１の樹木栽培容器に入れ、地中埋設栽培法により約１年間栽培した後、掘り出し、タイプ１の樹木栽培容器を外して園地に移植した。移植後更に１年間栽培した後、樹体及び根量を評価した。結果は１５株の平均値として示した。
なお、対照として、樹木栽培容器なしで栽培したものについても同様の評価を行った。
結果を表２に示した。
2003013222.tif 000003
（実施例３）
実施例１で用いたものと同様の不織布を用いて、直径３５ｃｍ高さ３３ｃｍの円筒形のタイプ１の樹木栽培容器を得た。
得られたタイプ１の樹木栽培容器を用いて実際に樹木の栽培を行った。
樹種はオウトウ（品種：佐藤錦／台木：アオバザクラ）とし、５株の苗をタイプ１の樹木栽培容器に入れ、地中埋設栽培法により約３年間栽培した。栽培開始後の樹体、根量、短果着生及び栽培樹木栽培容器からの根の突出を評価した。結果は５株の平均値として示した。
なお、対照として、樹木栽培容器なしで栽培したものについても同様の評価を行った。
結果を表３に示した。
2003013222.tif 000004
産業上の利用可能性
本発明によると、早期に花芽が付き、着果し、収穫することを可能とする樹木栽培容器及び樹木栽培方法を提供することができる。
【国際調査報告】
2003013222.tif 000005
2003013222.tif 000006
2003013222.tif 000007